(57)【特許請求の範囲】
【請求項１】
上ハーフと下ハーフとを組合わせてカートリッジ本体を構成し、その内部に円盤状の情報記録媒体を回転自在に収納してなるディスクカートリッジにおいて、
カートリッジ本体の側面に形成された操作開口部より少なくともその一部が外方に臨む操作部と、カートリッジ本体に形成され情報記録媒体に対する情報信号の記録可否を表示する誤記録検出孔を開閉する誤記録防止部と、
この誤記録防止部を前記誤記録検出孔を開放する第１の位置と前記誤記録検出孔を閉塞する第２の位置とに保持する保持部とを一体に形成してなり、カートリッジ本体にその側面と平行して移動自在に組込まれた誤記録防止部材を備え、
カートリッジ本体の上ハーフ及び下ハーフには上記誤記録防止部材の取り付け位置に、上記誤記録防止部材の移動をガイドするスライドガイド片と、この上下ハーフを突き合わせ接合する際の接合部となる複数の突き合わせ嵌合凸部とがそれぞれ相対向して立ち上がり形成されてなり、
上記上ハーフと下ハーフのそれぞれのスライドガイド片は、
上記上ハーフに植立する上記誤記録防止部材の移動方向をガイドするとともに遮蔽する上記スライドガイド片に立上がり壁を設け上記スライドガイド片が上記誤記録防止部材を圧迫する方向へのズレを上記下ハーフに植立する上記スライドガイド片との係合によって位置規制する位置規制手段を設け、
上記スライドガイド片の相対向する位置を規制してなるディスクカートリッジ。
【請求項２】
上記上ハーフの突き合わせ嵌合凸部は、上記スライドガイド片の近傍に設けられ、上記スライドガイド片と平行な平面部を一部に構成する環状をなし、また、これと相対向する上記下ハーフの突き合わせ嵌合凸部も上記上ハーフの突き合わせ嵌合凸部と対向する位置に平面部を有する円筒形状をなしていることを特徴とする請求項１に記載のディスクカートリッジ。
【発明の詳細な説明】
【０００１】
【発明の属する技術分野】
本発明は光ディスク等の円盤状情報記録媒体を回転自在に収納したディスクカートリッジに関し、特に情報記録媒体に記録された情報信号の消去を防止する誤記録防止機構を備えたディスクカートリッジに関する。
【０００２】
【従来の技術】
従来、磁気ディスクや光磁気ディスクの如く一度記録した情報信号を消去し新たな情報信号の記録を可能となすディスクが用いられている。
【０００３】
この種のディスクを収納したディスクカートリッジには、一度記録した情報信号が誤って消去されないようになすため、誤記録防止機構が設けられている。
【０００４】
上記誤記録防止機構はディスクカートリッジに収納したディスクに収納したディスクに対する情報信号の再生記録を可能となす状態と、一度記録した情報信号の消去を防止する誤記録防止状態とを自在に選択し得るように構成されている。
【０００５】
このような再記録可能な状態と誤記録防止状態を選択し得るように構成されたディスクカートリッジの誤記録防止機構として、図１０に示すように構成されたものが知られている。
【０００６】
この誤記録防止機構は、カートリッジ本体を構成する下ハーフ１に穿設した誤記録検出穴２を開閉する誤記録防止部材３を上記下ハーフ１に移動可能に取り付けてなるものである。
【０００７】
上記カートリッジ本体内に配設される上記誤記録防止部材３は、合成樹脂をモールド成形等して形成されてなるものであって、図１０に示すように、基端側に少なくとも下ハーフ１に穿設した誤記録検出穴２を閉塞するに足る大きさの略方形状をなす誤記録防止部４を備えている。この誤記録防止部４の一端面側からは、弾性変位可能な相対向する一対の弾性アーム部５、６が延在されている。
【０００８】
そして、上記一対の弾性アーム部５、６は互いに長さを異にし、一方の弾性アーム部５に対し他方の弾性アーム部６が長尺に形成されてなる。また、上記一対の弾性アーム部５、６の各先端側には、相対向する方向に突出するように係止突条部７、８が膨出形成されている。上述のように長さを異にする一対の弾性アーム部５、６の各先端側に係止突条部７、８を形成することにより、これらは係止突条部７、８は、図１０に示すように、互いに噛み合うように位置されてなる。また誤記録防止部４の端面側には、下ハーフ１の外方に突出するように移動操作部９が形成されてなる。
【０００９】
一方、上記誤記録防止部材３が配設されるカートリッジ本体を構成する下ハーフ１の内面には、上記記録防止部材３に設けられた一対の弾性アーム５、６の移動方向をガイドするとともに、上記一対の弾性アーム部５、６によって挾持される摺動位置規制片１０が立上り形成されている。
【００１０】
そして、上記摺動位置規制片１０には、一方の弾性アーム部５の先端側に突出形成した係止突条部７が相対係合する第１及び第２の係合凹部１１、１２が形成されている。これら第１及び第２の係合凹部１１、１２は、摺動位置規制片１０の一部を凹湾状に膨出して形成されてなり、誤記録防止部材３が誤記録検出穴２を閉塞した位置に移動されたとき及び上記誤記録検出穴２を開放した位置に移動されたときに、それぞれ上記係止突条部７が係合し得る位置に形成されてなる。
【００１１】
また、下ハーフ１に一体に形成された立上り周壁１３には、誤記録防止部材３に突出形成された移動操作部９をカートリッジ本体の外方に臨ませる開口部１４が切欠き形成されている。この開口部１４は、誤記録防止部材３を誤記録検出穴２を閉塞した位置と開放した位置間に亘って移動させるに足る幅をもって開設されている。
【００１２】
なお、下ハーフ１内には上記開口部１４と相対向して、スライドガイド片１５が立上り形成されている。一方、このスライドガイド片１５と対向して上ハーフ１８にもスライドガイド片２２が立ち上がり形成されており、上記スライドガイド片１５と突き合わされることによって相まって上記誤記録防止部材３の移動方向をガイドするとともに、上記開口部１４を遮蔽するスライドガイド壁を構成している。
【００１３】
また、カートリッジ本体を構成する上ハーフ１８及び下ハーフ１には、相対向する内面に互いにほぼ同径の筒状を呈する突合せ嵌合凸部１７及び突合せ嵌合凸部１６がそれぞれ対をなして複数箇所に一体に立設されている。上ハ−フ１８側の突合せ嵌合部凸部１７は、下ハーフ側の突合せ嵌合部凸部１６に対して高さ寸法が小ならしめられて形成されている。勿論、これら突合せ嵌合部１６、１７は互いに突き合わされた状態において、全体の軸方向の長さ寸法が互いに突合わされた立上り周壁１３、１９の高さ寸法とほぼ等しくされている。
これら突合せ嵌合部凸部１６及び突合せ嵌合部凸部１７は、図１１乃至図１６に示すように上ハーフ１８と下ハーフ１のカートリッジ挿入方向の隅に配設された２個の第１の突合せ嵌合凸部１６Ａ群及び突合せ嵌合凸部１７Ａ群と、上ハーフ１８と下ハーフ１の立上がり周壁１９及び立上がり周壁１３の内側に位置してそれぞれ適宜に配設された複数個の第２の突合せ嵌合凸部１７Ｂ群及び突合せ嵌合凸部１６Ｂ群と、上ハーフ１８と下ハーフ１の反カートリッジ挿入側隅に配設された１個の第３突合せ嵌合凸部１７Ｃ及び突合せ嵌合凸部１６Ｃとから構成されている。
【００１４】
溶着部を有するこれらの突合せ嵌合凸部は、超音波の印加によって溶着部が溶融して相対する突合せ嵌合凸部との間の接合固定が行われる。
【００１５】
【発明が解決しょうとする課題】
しかしながら、かかるディスクカートリッジにおいては、多数個の突合せ嵌合凸部に同時に超音波を印加して溶着部を溶融するために、比較的長い時間に渡ってボンディングツールがあてがわれて超音波が印加されることになる。
【００１６】
超音波印加時の振動による、上ハーフ１８と下ハーフ１のズレ防止として、前述の第３の突合せ嵌合凸部１７Ｃ及び突合せ嵌合凸部１６Ｃ、さらに溶着部を有しない第４の突合せ嵌合凸部２０及び突合せ嵌合凸部２１の２箇所の嵌合時のクリアランス（ガタ）を０．０４〜０．１２ｍｍ程度と小さく設定している。
【００１７】
しかるに、超音波の印加により上述の上ハーフ１８と下ハーフ１のズレ防止用の嵌合凸部の立上り接触面同志までもが溶融してしまい、上述の嵌合時のクリアランス以上に上ハーフ１８と下ハーフ１がズレて接合固定されることがある。
【００１８】
そうした場合には、図１０に示す上ハーフ１８に立上がり形成されている誤記録防止部材３の移動方向をガイドするとともに遮蔽するスライドガイド片２２が下ハーフ１側のスライドガイド片１５に対し正しく対向して突き合わされることができず、これらにより構成されるスライドガイド壁のガイド面を平坦なものになすことができなくなり、そのため誤記録防止部材３を側面から圧迫して誤記録防止部材３の移動操作性を著しく悪化させるといった問題があった。
【００１９】
したがって、本発明は、超音波溶着時の上ハーフと下ハーフのズレを設計値以上に大きくなるのを防止し、安定した誤記録防止部材の移動操作が確保されたディスクカートリッジを提供することを目的に提案されたものである。
【００２０】
【課題を解決するための手段】
上述の目的を達成するために、本発明に係るディスクカートリッジは、上ハーフと下ハーフとを組合わせてカートリッジ本体を構成し、その内部に円盤状の情報記録媒体を回転自在に収納してなるディスクカートリッジにおいて、カートリッジ本体の側面に形成された操作開口部より少なくともその一部が外方に臨む操作部と、カートリッジ本体に形成され情報記録媒体に対する情報信号の記録可否を表示する誤記録検出孔を開閉する誤記録防止部と、この誤記録防止部を前記誤記録検出孔を開放する第１の位置と前記誤記録検出孔を閉塞する第２の位置とに保持する保持部とを一体に形成してなり、カートリッジ本体にその側面と平行して移動自在に組込まれた誤記録防止部材を備え、カートリッジ本体の上ハーフ及び下ハーフには上記誤記録防止部材の取り付け位置に、上記誤記録防止部材の移動をガイドするスライドガイド片と、この上下ハーフを突き合わせ接合する際の接合部となる複数の突き合わせ嵌合凸部とがそれぞれ相対向して立ち上がり形成されてなり、上記上ハーフと下ハーフのそれぞれのスライドガイド片近傍に設けられる突き合わせ嵌合凸部は、上記上ハーフに植立する上記誤記記録防止部材の移動方向をガイドするとともに遮蔽する上記スライドガイド片に立上がり壁を設け上記スライドガイド片が上記誤記記録防止部材を圧迫する方向へのズレを上記下ハーフに植立する上記スライドガイド片との係合によって位置規制する位置規制手段を設け、上記スライドガイド片の相対向する位置を規制してなるものである。
【００２１】
また、本発明に係るディスクカートリッジは、上ハーフの突き合わせ嵌合凸部はスライドガイド片の近傍に設けられ、スライドガイド片と平行な平面部を一部に構成する環状をなし、また、これと相対向する下ハーフの突き合わせ嵌合凸部も上ハーフの突き合わせ嵌合凸部と対向する位置に平面部を有する円筒形状をなしているものである。
【００２２】
以上のように構成された本発明に係るディスクカートリッジによれば、誤記録防止部材に近接する突合せ嵌合凸部の立上がり接触面が溶融するに際し突き合わせ位置のズレが生じることを防止することができ、よって、上ハーフと下ハーフの組み付け位置並びにそのスライドガイド片の突き合わせ位置のズレを設計値以内におさえることができる。したがって、上ハーフに立上がり形成されているスライドガイド片が誤記録防止部材を側面から圧迫することがなくなり誤記録防止部材の安定した移動操作性を確保できる。
【００２３】
【発明の実施の形態】
以下、本発明の具体的な実施例を図面を参照しながら説明する。
【００２４】
本発明が適用されるディスクカートリッジは、図１に示すように、一度記録した情報を消去し、新たな情報信号の再記録を可能となすディスクである光磁気ディスク２１を収納してなるものである。このディスクカートリッジは、方形状をなす一対の上ハーフ２２及び下ハーフ２３を互いに突き合わせ結合して構成したカートリッジ本体２４を備え、このカートリッジ本体２４内に上記光磁気ディスク２１を回転可能に収納してなるものである。
【００２５】
そして、上記カートリッジ本体２４には、このディスクカートリッジを記録再生装置に装着したとき上記カートリッジ本体２４に収納された光磁気ディスク２１を回転操作するディスク回転駆動装置のディスクテーブルが進入するディスクテーブル進入用閉口部２５が開設されている。このディスクテーブル進入用開口部２５は、具体的にはカートリッジ本体２４に収納された光ディスク２１のディスクテーブル上に載置されるセンター穴２１ａを含む内周側部分を外方に臨ませ得るように、図１に示すように下ハーフ２３の略中央部に円形の開口をもって形成されてなる。
【００２６】
また、上記カートリッジ本体２４の上下面、すなわち上ハーフ２２及び下ハーフ２３には、少なくともここに収納された光ディスク２１の信号記録領域の一部を内外周に亘って外方に臨まさせる情報信号記録再生用開口部２６、２７が開設されている。これら情報信号記録再生用開口部２６、２７は、図１１に示すように、ディスクテーブル進入用開口部２５に近接する位置からカートリッジ本体２４の前面２４の左右方向の略中央位置に位置して方形上に形成されてなる。
【００２７】
さらに、上記カートリッジ本体２４には、上記情報信号記録再生用開口部２６、２７を介して内部に塵芥等が進入してここに収納された光ディスク２１に付着することを防止するようになすため、上記情報信号記録再生用開口部２６、２７を閉塞するシャッタ部材２８が配設される。このシャッタ部材２８は、薄い金属板を打ち抜き折曲して形成されてなるものであって、情報信号記録再生用開口部２６、２７をそれぞれ閉塞するシャッタ部２８ａ、２８ｂと、これらシャッタ部２８ａ、２８ｂの基端側を連結片２８ｃとから構成され、全体をもって断面コ字状に形成されてなる。また、上記連結片２８ｃの一側には、シャッタ部材２８がカートリッジ本体２４の前面２４ａ側に沿って平行にスライドし得るようにガイドするシャッタスライドガイド部２９が突設されている。
【００２８】
そして、上記シャッタ部材２８は、各シャッタ部２８ａ、２８ｂが情報信号記録再生用開口部２６、２７を閉塞する開口部閉塞位置と上記情報信号記録再生用開口部２６、２７を開放する開口部開放位置間に亘る図２中矢印Ｃ方向及びＤ方向にスライド可能となされてカートリッジ本体２４に取り付けられてなる。
【００２９】
一方カートリッジ本体２４を構成する下ハーフ２３の前面側の一方のコーナ部には、シャッタ部材２８が図２及び図３に示すように情報信号記録再生用開口部２６、２７を閉塞する位置にあるときに不用意に移動操作されて情報信号記録再生用開口部２６、２７を開放しないようになすため、シャッタスライドガイド部２９の一部を折曲して形成した被係合片３０と係合し上記シャッタ部材２８を上記閉塞位置に保持するシャッタロック部材３１が図１に示すように配設されている。
【００３０】
そして、カートリッジ本体２４のシャッタロック部材３１が配設される前面２４ａと直向する側面２４ｃ側の一方のコーナ部には、図１に示すように、このディスクカートリッジの誤記録防止機構となる誤記録防止部材３２が配設されてなる。
【００３１】
この誤記録防止部材３２は、下ハーフ２３側に保持されて配設されてなるものであって、この下ハーフ２３の上記誤記録防止部材３２が配設される側面２４ｃ側の一方のコーナ部には、上記誤記録防止部材３２によって開閉される誤記録検出穴３３が穿設されている。すなわち、誤記録検出穴３３は図３に示すように、カートリッジ本体２４の側面２４ｃ側の一方のコーナ部であって、下方側主面に位置して穿設されてなる。
【００３２】
この誤記録防止部材３２は、上記従来例において説明した誤記録防止部材３と同様の構成をなすものであって、その詳細な説明は省略するが、下ハーフ２３の内面に設けられる摺動位置規制片５０を一対の弾性アーム部３２ａ、３２ｂ、により挟持してその摺動位置が規制されてなるものである。
【００３３】
また、下ハーフ２３に一体に形成された後述する立上り周壁３９には、誤記録防止部材３２に突出形成された移動操作部３２ｃをカートリッジ本体の外方に臨ませる操作開口部５１が切欠き形成されている。この操作開口部５１は、誤記録防止部材３２を誤記録検出穴３３を閉塞した位置と開放した位置間に亘って移動させるに足る幅をもって開設されている。
【００３４】
なお、下ハーフ１内には上記操作開口部５１と相対向して、スライドガイド片４８が立上り形成されている。一方、このスライドガイド片４８と対向して上ハーフ２２にもスライドガイド片４７が立ち上がり形成されており、上記スライドガイド片４８と突き合わされることによって相まって上記誤記録防止部材３２の移動方向をガイドするとともに、上記操作開口部５１を遮蔽するスライドガイド壁を構成している。
【００３５】
次に、カートリッジ本体２４の誤記録検出穴３３が穿設された下方側主面には、図３に示すように、ディスクカートリッジを記録再生装置内のカートリッジ装着部に装着させたとき、上記ディスクカートリッジの装着位置の位置決めを図る位置決めピンが係合する位置決めピン係合孔３４、３５が設けられている。これら位置決めピン係合孔３４、３５は誤記録検出穴３３が穿設される背面２４ｂ側と対向するシャッタ部材２８が配設される前面２４ａ側の各コーナ部に位置して設けられている。また、カートリッジ本体２４の下方側の主面には、ディスクカートリッジを記録再生装置内のカートリッジ装着部に自動装着させるために用いられるオートローディング機構のカートリッジ保持爪が係合するローディング機構係合凹部３６、３６が形成されている。このローディング機構係合凹部３６、３６はシャッタ部材２８が配設されるカートリッジ本体２４の前面２４ａに直交するカートリッジ装着部への挿入端となる一側面２４ｃに位置して下方側主面から前面２４ａ側及び下方側主面から背面２４ｂ側に亘って形成されてなる。
【００３６】
さらに、カートリッジ本体２４の下方側の主面には、図３に示すように、このカートリッジ本体２４に収納されたディスクが光磁気ディスク２１であることを示す光磁気ディスク表示用凹部３７が設けられている。この光磁気ディスク表示用凹部３７が設けられている。この光磁気ディスク表示用凹部３７は、カートリッジ装着部への挿入端となる一側面２４ｃ側の前面２４ａ側に近接した位置に設けられてなる。
【００３７】
カートリッジ本体２４を構成する上ハーフ２２及び下ハーフ２３には、立上がり周壁３８及び立上がり周壁３９がそれぞれ周回りに一体に立設されている。これら立上がり周壁３８、３９は、上ハーフ２２と下ハーフ２３とを後述する突合せ嵌合凸部４０、４１を介して一体に結合した状態において、互いに突き合わされてカートリッジ本体２４の外周壁を構成する。上ハーフ２２及び下ハーフ２３には、相対向する内面に、光ディスク収納部形成壁４２及び光ディスク収納部形成壁４３がそれぞれ一体に立設されている。これら光ディスク収納形成壁４２及び光ディスク収納部形成壁４３は、上ハーフ２２と下ハーフ２３とを結合した状態において光ディスク２１を回転自在に収納するディスク収納部４４を構成する。また、これら光ディスク収納部形成壁４２及び光ディスク収納部形成壁４３は立上がり周壁３８及び立上がり周壁３９にそれぞれ内接する同一円周上に位置された複数個の円弧状立壁として構成される。
【００３８】
上ハーフ２２及び下ハーフ２３には、相対向する内面に、互いにほぼ同径の筒状を呈する突合せ嵌合凸部４０及び突合せ嵌合凸部４１がそれぞれ対をなして複数箇所に一体に立設されている。上ハーフ２２側の突合せ嵌合凸部４０は、下ハーフ２３側の突合せ嵌合凸部４１に対して高さ寸法が小ならしめられて形成されている。勿論、これら突合せ嵌合凸部４０、４１は互いに突き合わされた状態において全体の軸方向の長さ寸法が互いに突き合わされた状態において全体の軸方向の長さ寸法が互いに突き合わされた立上がり周壁３８、３９の高さ寸法とほぼ等しくされている。
【００３９】
これら突合せ嵌合凸部４０及び突合せ嵌合凸部４１は、図４及び図５に示すように、上ハーフ２２と下ハーフ２３のカートリッジ挿入方向の隅に配設された２個の第１の突合せ嵌合凸部４０Ａ群及び突合せ嵌合凸部４１Ａ群と、上ハーフ２２と下ハーフ２３の立上がり周壁３８及び立上がり周壁３９の内側に位置してそれぞれ適宜に配設された複数個の第２の突合せ嵌合凸部４０Ｂ群及び突合せ嵌合凸部４１Ｂ群と、上ハーフ２２と下ハーフ２３の反カートリッジ挿入側隅に配設された１個の第３の突合せ嵌合凸部４０Ｃ及び突合せ嵌合凸部４１Ｃとから構成されている。
【００４０】
溶着部を有するこれらの突合せ嵌合凸部は、超音波の印加によって溶着部が溶融して相対する突合せ嵌合凸部との間の接合固定が行われる。
【００４１】
超音波印加時の振動による上ハーフ２２と下ハーフ２３のズレ防止として、前述第３の突合せ嵌合凸部４０Ｃ及び突合せ嵌合凸部４１Ｃ、更に溶着部を有しない第４の突合せ嵌合凸部４５及び突合せ嵌合凸部４６が配設されている。
【００４２】
突合せ嵌合凸部４５は、図６及び図８に示すように、誤記録防止部材３２の移動記録防止部材３２の移動方向をガイドするとともに遮蔽するスライドガイド片４７と平行な平面部４５Ａを一部に構成する環状をなし、また、突合せ嵌合凸部４６も突合せ嵌合凸部４５と対向する位置に平面部４６Ａを有する円筒形状をなしている。
【００４３】
第２の実施例としては図７及び図９に示すように、上ハーフ２２に植立する誤記録防止部材３２の移動方向をガイドするとともに遮蔽するスライドガイド片４７に更に立上がり壁４７Ａを設けスライドガイド片４７が誤記録防止部材３２を圧迫する方向へのズレを下ハーフ２３に植立するスライドガイド片４８との係合によって位置規制する。図７では、前述平面部４５Ａを一部に構成する環状の突合せ嵌合凸部４５と平面部４６Ａを有する円筒形状の突合せ嵌合凸部４６との併用を示しているが、これらにとらわれることなく、立上がり壁４７Ａを構成するだけでも構わない。但し、上述の如くズレ防止としての位置規制手段を従来の線接触から面接触に変更することにより、ズレ防止のさらなる確実化を図ることができる。
【００４４】
これによって、超音波印加時に、従来問題となっていた誤記録防止部材３２に近接する突合せ嵌合凸部の立上がり接触面同志の溶融が防止され上ハーフ２２と下ハーフ２３のズレを設計値以内におさえることができ、上ハーフ２２に立上がり形成されている誤記録防止部材３２の移動方向をガイドするとともに遮蔽するスライドガイド片４７が誤記録防止部材３２を側面から圧迫することがなくなり、誤記録防止部材３２の安定した移動操作性が確保できる。
【００４５】
上述した各実施例においては、カートリッジ本体２４に光磁気ディスク２１を収納したディスクカートリッジの例を挙げて説明したが、本発明は、情報信号の記録、再生を可能となすディスクを収納するディスクカートリッジに広く適用できるものである。
【００４６】
【発明の効果】
上述したように、本発明に係るディスクカートリッジによれば、上ハーフに立設される誤記録防止部材の移動方向をガイドするとともにスライドガイド片の超音波印加時のズレを設計値以内におさえることができ、前述のスライドガイド片が誤記録防止部材を側面から圧迫することがなくなるので確実に情報信号の記録可能状態及び記録を不能となす誤記録防止状態を設定することができる。
【図面の簡単な説明】
【図１】本発明に係わるディスクカートリッジの分解斜視図である。
【図２】上記ディスクカートリッジのシャッタ部材を取り付けた前面側からの斜視図である。
【図３】上記ディスクカートリッジの背面側からの斜視図である。
【図４】上記ディスクカートリッジのカートリッジ本体を構成する上ハーフの内面側の構成を示す底面図である。
【図５】同カートリッジ本体を構成する下ハーフの内面側を示す平面図である。
【図６】同カートリッジ本体を構成する上ハーフと下ハーフとを接合固定するときのズレを防止するために相対する内面にそれぞれ形成された突合せ嵌合部の構成を説明する要部分解斜視図である。
【図７】同突合せ嵌合部の変形例を説明する要部分解斜視図である。
【図８】図６で示した突合せ嵌合部の構成を説明する要部分解図縦断面図である。
【図９】図７で示した突合せ嵌合部の変形例の構成を説明する要部分解縦断面図である。
【図１０】従来のディスクカートリッジの誤記録防止部材を下ハーフに保持させる状態を示す分解斜視図である。
【図１１】従来のディスクカートリッジのカートリッジ本体を構成する上ハーフの内面側の構成を示す底面図である。
【図１２】従来のディスクカートリッジ本体を構成する下ハーフの内面側の構成を示す平面図である。
【図１３】従来のディスクカートリッジのカートリッジ本体を構成する上ハーフと下ハーフを接合固定するために相対する内面にそれぞれ形成された第１の突合せ嵌合凸部の構成を説明する分解縦断面図である。
【図１４】同第２の突合せ嵌合凸部の構成を説明する分解縦断面図である。
【図１５】同第３の突合せ嵌合凸部の構成を説明する分解縦断面図である。
【図１６】同第１４の突合せ嵌合部の構成を説明する分解縦断面図である。
【符号の説明】
２１  光磁気ディスク、２２  上ハーフ、２３  下ハーフ、２４  カートリッジ本体、３２  誤記録操作部材、３３  誤記録検出穴、４５，４６  突き合わせ嵌合凸部、４７，４８  スライドガイド片、５１  操作開口部
【図１】
0003555368.tif 000002
【図２】
0003555368.tif 000003
【図３】
0003555368.tif 000004
【図４】
0003555368.tif 000005
【図５】
0003555368.tif 000006
【図６】
0003555368.tif 000007
【図７】
0003555368.tif 000008
【図８】
0003555368.tif 000009
【図９】
0003555368.tif 000010
【図１０】
0003555368.tif 000011
【図１１】
0003555368.tif 000012
【図１２】
0003555368.tif 000013
【図１３】
0003555368.tif 000014
【図１４】
0003555368.tif 000015
【図１５】
0003555368.tif 000016
【図１６】
0003555368.tif 000017